(57)【特許請求の範囲】
【請求項１】
軸筒内のインキ吸蔵体に含浸されたインキをペン体に供給する筆記具に於いて、
先口内に、軸方向に延びる複数本のインキ溜め縦溝を有するインキ貯溜部が設けられ、該インキ貯溜部は、その後端面に前記インキ吸蔵体の前端部を当接させるとともに、前記インキ溜め縦溝による毛細管力を前記インキ吸蔵体の毛細管力よりも弱くすることで、一時的に貯溜した過剰インキを前記インキ吸蔵体に吸収させるように構成され、
前記インキ溜め縦溝と前記ペン体の外周面との間には、筒状の周壁部が形成され、
前記周壁部は、内周面の後端側に、その前側部分よりも縮径されて前記ペン体の外周面に接触する縮径部分を有し、
前記縮径部分には、前後方向へ貫通するとともに前方側を軸筒外に連通した外気導入溝が設けられ、
前記周壁部の前記縮径部分よりも前側の部分に、前記ペン体の外周面に接触する縦突起が、周方向に間隔を置いて複数設けられ、
これら複数の縦突起の間の空間を、その前方側で軸筒外に連通するとともに後方側で前記外気導入溝に連通し、
前記インキ溜め縦溝と前記ペン体の外周面との間であって、かつ前記周壁部の後端と前記インキ吸蔵体の前端との間には、前記外気導入溝に連通する周間隙が設けられ、
前記軸筒内には、前記インキ吸蔵体の外周面を嵌合すべく周方向へ間隔を置いた複数の縦突起が設けられ、これら複数の縦突起の各々を、前記インキ貯溜部において周方向に隣り合う前記インキ溜め縦溝の間の部分に接続することで、これら複数の縦突起の間の空間を、前記インキ溜め縦溝内の空間に連通したことを特徴とする筆記具。
【発明の詳細な説明】
【０００１】
【発明の属する技術分野】
本発明は、インキを含浸したインキ吸蔵体からペン体にインキが供給されるサインペン等の筆記具の改良に関するものである。
【０００２】
【従来の技術】
従来、サインペンのような筆記具は、筒状の被覆体に詰込まれた中綿にインキを含浸して構成したインキ吸蔵体が軸筒内に装填され、このインキ吸蔵体の先端部に先口内に保持されるフェルト状のペン体の後端部を差し込んで接続させ、インキ吸蔵体からペン体にインキを供給し、先口より突出したペン体のペン先からインキを滲出するように構成されている。
ところで、上記構成の筆記具は、誤ってペン先側を下方にして落下してしまった場合等に、その衝撃により多量のインキがインキ吸蔵体からペン体側に吐出し、ペン体の周りからインキが外部に噴出するボタ落ち現象や、インキ吸蔵体の中綿がペン体側にずれるズッコケ現象を生じる。
そこで、その改良としてインキ吸蔵体のペン先側にリング状の緩衝材を設け、この緩衝材により落下時の衝撃を吸収して上記ボタ落ち現象並びにズッコケ現象を防止しようとしたものが提案されている（特開平８−３９９８５号公報参照）。
【０００３】
しかしながら、上記した従来の筆記具は、リング状の緩衝材を内装しなければならないため、部品点数の増加を招き、ひいては緩衝材の加工費や材料費等がかかるばかりか、組立てが面倒で工数が増加する等のコスト高になる要因が多々ある。
また、落下時の衝撃により、インキ吸蔵体の端部から緩衝材の中心孔とペン体との隙間に吐出したインキがペン体の周りから外部へ噴出したり、インキ吸蔵体の中綿がずれて前記中心孔とペン体との隙間に入り込んだりすることが懸念される。
【０００４】
【発明が解決しようとする課題】
本発明は上記従来事情に鑑みてなされたものであり、その目的とする処は、誤って筆記具を落下した際のボタ落ち現象やズッコケ現象を確実に防止するとともに、部品点数及び組立て工数を低減して安価な筆記具を提供することにある。
【０００５】
【課題を解決するための手段】
上記目的を達成するための技術的手段は、軸筒内のインキ吸蔵体に含浸されたインキをペン体に供給する筆記具に於いて、先口内に、軸方向に延びる複数本のインキ溜め縦溝を有するインキ貯溜部が設けられ、該インキ貯溜部は、その端面に前記インキ吸蔵体の端部を当接させるとともに、前記インキ溜め縦溝による毛細管力を前記インキ吸蔵体の毛細管力よりも弱くすることで、一時的に貯溜した過剰インキを前記インキ吸蔵体に吸収させるように構成され、前記インキ溜め縦溝と前記ペン体の外周面との間には、筒状の周壁部が形成され、前記周壁部は、内周面の後端側に、その前側部分よりも縮径されて前記ペン体の外周面に接触する縮径部分（図２参照）を有し、前記縮径部分には、前後方向へ貫通するとともに前方側を軸筒外に連通した外気導入溝が設けられ、前記周壁部の前記縮径部分よりも前側の部分に、前記ペン体の外周面に接触する縦突起が、周方向に間隔を置いて複数設けられ、これら複数の縦突起の間の空間（ペン先側の周間隙１２ｃ）を、その前方側で軸筒外に連通するとともに後方側で前記外気導入溝に連通し（図２及び図３（ｇ）（ｈ）（ｉ）参照）、前記インキ溜め縦溝と前記ペン体の外周面との間であって、かつ前記周壁部の後端と前記インキ吸蔵体の前端との間には、前記外気導入溝に連通する周間隙が設けられ、前記軸筒内には、前記インキ吸蔵体の外周面を嵌合すべく周方向へ間隔を置いた複数の縦突起が設けられ、これら複数の縦突起の各々を、前記インキ貯溜部において周方向に隣り合う前記インキ溜め縦溝の間の部分に接続することで、これら複数の縦突起の間の空間を、前記インキ溜め縦溝内の空間に連通した（図２及び図３（ｅ）（ｆ）参照）ことを特徴とする。
上記技術的手段によれば、落下衝撃等でインキ吸蔵体からペン体側に吐出したインキを、インキ溜め縦溝の毛細管力によりインキ貯溜部に一時的に貯溜する。そして、その一時的に貯溜したインキを、インキ貯溜部より強い毛細管力を有するインキ吸蔵体に徐々に吸収させる。
更に、インキ貯溜部の端面にインキ吸蔵体の端部を当接させることで、落下衝撃等でインキ吸蔵体の中綿がペン体側にずれるのを防止する。
また、インキ貯溜部は、軸方向に延びる複数本のインキ溜め縦溝からなるため、ペン体取付部を有する先口内に同時成形にて形成することができる。
【０００６】
ここで、インキ溜め縦溝による毛細管力をインキ吸蔵体の毛細管力よりも弱くするには、インキ溜め縦溝の幅を０．２〜０．８ｍｍに設定するのが好ましい。
【０００７】
【発明の実施の形態】
本発明の実施の形態を図面に基づいて説明する。
図１乃至３は、本発明に係る筆記具の一例を示す。
筆記具Ａは、下端側（図１における下方側）に細書き用ペン先部１０を有するとともに、上端側（図１における上方側）に太書き用ペン先部２０を有する両頭式のサインペンであり、筆記時以外は、細書き用ペン先部１０の先口１２にキャップ１９が、太書き用ペン先部２０の先口２２にはキャップ２９が、それぞれ被せられる。
【０００８】
細書き用ペン先部１０は、先口１２を一体形成した軸筒１１と、先口１２内に保持されたペン体１３と、この軸筒１１内でペン体１３の上端側に保持されたインキ吸蔵体１４とを備えてなり、先口１２内には、落下衝撃等でインキ吸蔵体１４からペン体１３側に吐出したインキを、毛細管力により一時的に貯溜するインキ貯溜部１６を有する。
【０００９】
軸筒１１は、一端側に先細状の先口１２を有する略円筒状を呈し、その内周面における前記先口１２側には、インキ吸蔵体１４を嵌合すべく複数の縦突起１１ａが形成されている。そして、先口１２内に、ペン体１３を装着する貫通孔１２ａと、この貫通孔１２ａの周りのインキ貯溜部１６とを同時成形により形成してなる。
【００１０】
ペン体１３は、繊維部材や多孔質プラスチック材等からなる先細軸状を呈し、上部側（後部側）が段部１３ａを境に一回り程細く形成されてなり、その上端が、インキ吸蔵体１４のインキを毛細管力によりペン先へ誘導するように、インキ吸蔵体１４内に差し込まれている。そして、このペン体１３は、前記段部１３ａが先口１２内で係止されるとともに、その段部１３ａの下側が先口１２内周面に複数形成された縦突起１２ｄによって嵌合される（図３（ｈ）及び（ｉ）参照）ことで、軸方向に移動しないように装着されている。
【００１１】
インキ吸蔵体１４は、筒状の被覆体１５内に充填された中綿１８にインキを含浸させて構成され、下端部１４ａを軸筒１１内でインキ貯溜部１６の上端面１６ａに当接させた状態で、下端側外周面が軸筒１１内の上記縦突起１１ａに嵌合されている。
【００１２】
インキ貯溜部１６は、周方向に等間隔に複数本配置されその各々が軸方向に延びるインキ溜め縦溝１７と、上端側においてこのインキ溜め縦溝１７とペン体１３との間に形成される周間隙１６ｃと、下端側においてインキ溜め縦溝１７とペン体１３との境界壁となる周壁部１６ｂとからなり、上端面１６ａにインキ吸蔵体１４の下端部１４ａが当接されている。
【００１３】
インキ溜め縦溝１７は、図３（ｆ）乃至（ｉ）に詳細に示すように、上端側から下端側にかけて溝深さを漸減させることで断面積が縮小される縦溝状を呈し、ペン体１３との間に上記周間隙１６ｃと上記周壁部１６ｂとを介在することで、ペン体１３と直接的に接触しないように形成されている。即ち、このインキ溜め縦溝１７は、一時的に貯溜したインキを、ペン体１３側に流出させることなく、インキ吸蔵体１４に吸収させるように構成されている。
【００１４】
このインキ溜め縦溝１７の幅Ｗは、落下衝撃等によりインキ吸蔵体１４から吐出した過剰インキを一時的に貯溜し、その貯溜されたインキを徐々にインキ吸蔵体１４に吸収させるように、インキ吸蔵体１４の毛細管力よりも弱い毛細管力を得るよう設定されており、好ましくは０．２〜０．８ｍｍに設定される。
【００１５】
尚、図３（ｇ）に示す符号１２ｂは、外気導入溝であり、上記周間隙１６ｃとペン先側の周間隙１２ｃ（図３（ｈ）及び（ｉ）参照）を連通させることで、筆記時にインキ吸蔵体１４がインキの消費に伴ってペン体１３外周のペン先側から外気を導入するように適宜数設けられている。
【００１６】
次に、同筆記具Ａ上端側の太書き用ペン先部２０について説明する。
この太書き用ペン先部２０は、前記軸筒１１の上端に内嵌合された先口２２と、この先口２２内に保持されたペン体２３とを備えてなり、先口２２内には、上記細書き用ペン先部１０のインキ貯溜部１６と同様の作用を奏するインキ貯溜部２６を有する。
【００１７】
前記先口２２は、上端側が先細状を呈するとともに下端側が筒状を呈し、その上端側の内部に、ペン体２３を装着する貫通孔２２ａと、この貫通孔２２ａの周りのインキ貯溜部２６とが同時成形により形成されている。また、下端側の内周面には、インキ吸蔵体１４の上端側を嵌合すべく複数の縦突起２２ｂが形成されている。
そして、この先口２２は、前記縦突起２２ｂをインキ吸蔵体１４に嵌合させるとともに、下端側外周面を軸筒１１の上端側内周面に嵌合させている。
【００１８】
ペン体２３は、細書き用ペン先部１０のペン体１３と同材質の部材からなる横断面矩形の軸状を呈し、上端（先端）が斜めに形成されるとともに、下部側（後部側）が段部２３ｂを境に一回り程細く形成されてなり、その下端が、インキ吸蔵体１４のインキを毛細管力によりペン先へ誘導するように、インキ吸蔵体１４内に差し込まれている。そして、このペン体２３は、前記段部２３ｂが先口２２内で係止されるとともに、段部２３ｂ下側外周の角部分２３ａが先口２２内周面に嵌合される（図３（ａ）乃至（ｃ）参照）ことで、軸方向に移動しないように装着されている。
【００１９】
インキ貯溜部２６は、周方向に等間隔に複数本配設されその各々が軸方向に延びるインキ溜め縦溝２７と、このインキ溜め縦溝２７とペン体２３との間に形成される周間隙２６ｂとからなり、下端面２６ａにインキ吸蔵体１４の上端部１４ｂが当接されている。
【００２０】
インキ溜め縦溝２７は、図３（ａ）乃至（ｄ）に詳細に示すように、下端側から上端側に行くにしたがって断面積が縮小される縦溝状を呈し、ペン体２３との間に上記周間隙２６ｂを介在することで、ペン体２３と直接的に接触しないように形成されている。即ち、このインキ溜め縦溝２７は、上記細書き用ペン先部１０のインキ溜め縦溝１７と同様に、一時的に貯溜したインキを、ペン体２３側に流出することなく、インキ吸蔵体１４に吸収させるように構成されている。また、このインキ溜め縦溝２７の幅Ｗは、上記細書き用ペン先部１０のインキ溜め縦溝１７と同じ値に設定されている。
【００２１】
尚、上記構成の太書き用ペン先部２０では、細書き用ペン先部１０における外気導入溝１２ｂを設けていないが、ペン体２３が上述したように横断面矩形状であるため、その各辺部分と貫通孔２２ａ内周面との間には間隙が形成され、この間隙がペン先側の外部からインキ吸蔵体１４まで連通していることにより、細書き用ペン先部１０における外気導入溝１２ｂと同様に外気を導入する作用を奏する。
また、太書き用ペン先部２０の形状は、上記横断面矩形の軸状に限定されるものでなく、細書き用ペン先部１０のペン体１３のように横断面円形の軸状に形成しても構わない。この場合には、細書き用ペン先部１０と同様に貫通孔２２ａの内周面に外気導入溝を設ける等の手段により、ペン先側の外部からインキ吸蔵体１４まで連通する溝や間隙等を形成するようにすればよい。
【００２２】
従って、本発明に係る基本的構成について、この太書き用ペン先部２０と上述した細書き用ペン先部１０との相違は、細書き用ペン先部１０ではインキ溜め縦溝１７がペン体１３に直接的に接触しないように周間隙１６ｃと周壁部１６ｂとを上下に直列に配置したことに対し、太書き用ペン先部２０では周間隙２６ｂのみを設けたことにある。何れの場合も、インキ溜め縦溝１７，２７をペン体１３，２３に直接的に接触させないようにするための一手段であり、毛細管力により一時的に貯溜したインキをペン体１３，２３側に流出させないようにするという作用を奏する。また、インキ溜め縦溝１７の周壁部１６ｂでは、図１及び２に示すように先端側が縦断面袋状に形成されているため、その袋状部分にインキを溜めることにより流出させないという作用も奏する。
【００２３】
而して、上記構成の筆記具Ａによれば、通常の筆記状態においては、インキ吸蔵体１４の中綿１８に含浸されているインキが細書き用ペン先部１０のペン体１３及び太書き用ペン先部２０のペン体２３に供給され、毛細管力によってペン体１３，２３各々のペン先からインキが滲出される。
誤って、筆記具Ａが細書き用ペン先部１０側を下方にして落下された場合には、
インキ吸蔵体１４の下端部１４ａから多量のインキが吐出されて複数のインキ溜め縦溝１７内に流入する。
そして、インキ溜め縦溝１７は、流入してきたインキを毛細管力によって一時的に貯溜し、その一時的に貯溜されたインキは、ペン体１３周りの周間隙１６ｃ及び周壁部１６ｂによってペン体１３に流出することなく、インキ溜め縦溝１７よりも強い毛細管力を有するインキ吸蔵体１４に徐々に吸収される。従って、落下衝撃によりペン体１３周りから多量のインキが吐出されるボタ落ち現象を防止できる。
しかも、上記落下衝撃の際、インキ吸蔵体１４の下端部１４ａが複数のインキ溜め縦溝１７から構成されるインキ貯溜部１６の上端面１６ａに当接されているため、インキ吸蔵体１４の中綿１８がペン体１３側にずれるズッコケ現象が防止される。
【００２４】
また、同筆記具Ａが太書き用ペン先部２０側を下方にして落下された場合には、上記細書き用ペン先部１０の作用と略同様に、インキ吸蔵体１４から吐出されたインキは、複数のインキ溜め縦溝２７の毛細管力により一時的に貯溜され、ペン体２３周りの周間隙２６ｂによってペン体２３に流出することなく、インキ吸蔵体１４に徐々に吸収される。従って、ボタ落ち現象が防止され、それとともに、インキ吸蔵体１４の上端部１４ｂとインキ貯溜部２６の下端面２６ａとの当接によってズッコケ現象が防止される。
【００２５】
尚、上記太書き用ペン先部２０は、細書き用ペン先部１０の周壁部１６ｂと同様の周壁部２６ｃを形成した太書き用ペン先部２０’に置き換えても構わない。
太書き用ペン先部２０’は、図４及び５に示すように、上述した太書き用ペン先部２０におけるインキ溜め縦溝２７のペン体２３側に周壁部２６ｃを形成したもので、即ち、ペン体２３とインキ溜め縦溝２７の間の先端側に、ペン体２３周りの周間隙２６ｂと、この周間隙２６ｂに内接する周壁部２６ｃとを形成することで、インキ溜め縦溝２７の先端側が縦断面袋状を呈するインキ貯溜部２６’を構成したものである。従って、この太書き用ペン先部２０’では、細書き用ペン先部１０同様に、インキを前記袋状部分に溜めることで流出させないという作用も奏する。
尚、この太書き用ペン先部２０’における他の部分の構成は、基本的に上述した太書き用ペン先部２０と同様であるため、同一部分に同一の符号を付けることで、重複する説明を省略する。
【００２６】
また、図１乃至３に示したペン体１３周りの周間隙１６ｃ及び周壁部１６ｂあるいはペン体２３周りの周間隙２６ｂが無い場合、または図４及び５に示したペン体２３周りの周間隙２６ｂ及び周壁部２６ｃが無い場合、即ちインキ溜め縦溝１７，２７がペン体１３，２３に直接的に接触している場合には、インキ溜め縦溝１７，２７に一時的に貯留されたインキをインキ吸蔵体１４が徐々に吸収するのと同時に、貯溜されたインキの一部がペン体１３，２３にも徐々に吸収される。そして、ペン体１３，２３内に吸収されたインキは筆記に伴ってペン先から滲出されるため、通常の落下衝撃においてはボタ落ち現象が防止される。
しかしながら、落下衝撃が強かった場合には、ペン体１３，２３に多量のインキが吸収されてボタ落ち現象を生じることも懸念されるため、図示された本実施の形態のように、インキ溜め縦溝１７，２７をペン体１３，２３に直接的に接触させないように構成されているのが好ましい。
【００２７】
本実施の形態によれば、誤って筆記具を落下した際に、インキ吸蔵体から多量に吐出したインキがインキ貯溜部に一時的に貯溜され、その貯溜されたインキがインキ吸蔵体に徐々に吸収されるため、ペン体の周りから過剰インキが外部に噴出するボタ落ち現象を防止できる。
更に、インキ貯溜部の端面がインキ吸蔵体の端部に当接しているため、落下衝撃等でインキ吸蔵体の中綿がペン体側にずれるズッコケ現象が防止される。
しかも、インキ貯溜部を先口の成形と同時に形成でき、他に付加する部品等もないため、従来構造に比べて大幅に簡素化された構造になり、加工コスト、及び部品点数、組み立て工数が低減された安価な筆記具を提供できる。
【図面の簡単な説明】
【図１】  本発明に係る筆記具の一例を示す右半縦断面図。
【図２】  同筆記具の要部を拡大して示す拡大縦断面図。
【図３】  図２における横断面図であり、（ａ）はａ−ａ線断面図、（ｂ）はｂ−ｂ線断面図、（ｃ）はｃ−ｃ線断面図、（ｄ）はｄ−ｄ線断面図、（ｅ）はｅ−ｅ線断面図、（ｆ）はｆ−ｆ線断面図、（ｇ）はｇ−ｇ線断面図、（ｈ）はｈ−ｈ線断面図、（ｉ）はｉ−ｉ線断面図。
【図４】  太書き用ペン先部の他例を示す拡大縦断面図。
【図５】  図４における横断面図であり、（ａ）はａ−ａ線断面図、（ｂ）はｂ−ｂ線断面図、（ｃ）はｃ−ｃ線断面図。
【符号の説明】
Ａ：筆記具                        １０：細書き用ペン先部
１１：軸筒                        １２：先口
１２ｃ：周間隙                    １３：ペン体
１４：インキ吸蔵体                １４ａ：下端部
１６：インキ貯溜部                １６ａ：上端面
１６ｂ：周壁部                    １６ｃ：周間隙
１７：インキ溜め縦溝              ２０：太書き用ペン先部
２２：先口                        ２３：ペン体
２６：インキ貯溜部                ２６ａ：下端面
２６ｂ：周間隙                    ２６ｃ：周壁部
２７：インキ溜め縦溝
【図１】
0004361647.tif 000002
【図２】
0004361647.tif 000003
【図３】
0004361647.tif 000004
【図４】
0004361647.tif 000005
【図５】
0004361647.tif 000006